(57)【要約】      （修正有）【課題】通常は簡便に体重測定が可能であると共に、不使用時には乳児などを載せる籠を吊り下げる吊下杆及びフック部をスケール本体の外形に変化が生じない状態で簡単に収納できるようにした小型且つ薄型のウエイトスケールを提供する。【解決手段】スケール本体１は何れか一方の端部を載台に対する当接部とすると共に、他方の端部を手持ち部又は他の載台に対する当接部となし、スケール本体１内に付設した計重手段をなす板ばね９の先端部に可変連結部材又は蝶番連結部材８を介して吊下杆７を垂下させ、当該吊下杆７の先端に形成したフック部６に籠を吊り下げて測定対象の重量を測定する。また、不使用時には前記吊下杆７及びフック部６をスケール本体１の背面側に形成した収納凹陥部１６内に収納できるように構成した。【選択図】図４
0003177085.tif 000002
【実用新案登録請求の範囲】
【請求項１】
計重手段及び当該計重手段によって計測された測定値を表示する表示手段とを有するウエイトスケールにおいて、前記計重手段及び表示手段を具備したスケール本体は何れか一方の端部を載台に対する当接部とすると共に、他方の端部を手持ち部又は他の載台に対する当接部となし、スケール本体内に付設した計重手段をなす板ばねの先端部に可変連結部材又は蝶番連結部材を介して吊下杆を垂下させ、当該吊下杆の先端に形成したフック部に籠を吊り下げて測定対象の重量を測定するようにしたことを特徴とするウエイトスケール。
【請求項２】
計重手段及び当該計重手段によって計測された測定値を表示する表示手段とを有するウエイトスケールにおいて、前記計重手段及び表示手段を具備したスケール本体は何れか一方の端部を載台に対する当接部とすると共に、他方の端部を手持ち部又は他の載台に対する当接部となし、スケール本体内に付設した計重手段をなす板ばねの先端部に可変連結部材又は蝶番連結部材を介して吊下杆を垂下させ、当該吊下杆の先端に形成したフック部に籠を吊り下げて測定対象の重量を測定するようにすると共に、不使用時には前記吊下杆及びフック部をスケール本体の背面側に形成した収納凹陥部内に収納できるように構成したことを特徴とするウエイトスケール。
【考案の詳細な説明】
【技術分野】
【０００１】
本考案は小型かつ薄型で簡便に乳児などの体重を測定することができるウエイトスケールに係り、特に不使用時には吊下杆及びフック部をスケール本体に収納できるようにした乳児用あるいは小動物用のウエイトスケールに関する。
【背景技術】
【０００２】
乳児あるいは猫や子犬などのペットの体重を計る際には、乳児あるいはペットを載せる台が上面に取付けられたいわゆるベビースケールが一般に使用されている。
【０００３】
例えば、下記の特許文献１及び２には、測定対象となる乳児などを載せる載置手段ないし載せ台を体重計の上面に設けて、この載置手段ないし載せ台に乳児を横にして載せて体重を測定するようになっている。
【先行技術文献】
【特許文献】
【０００４】
【特許文献１】公開実用昭和５６−３８８２９号公報
【特許文献２】特開平８−１５９８５６号公報
【考案の概要】
【考案が解決しようとする課題】
【０００５】
これらのベビースケールは前記特許文献１及び２に示されているように、乳児やペットを載せ易くするため、載せる台が比較的広めに作成され、多くの面積を専有し勝ちであり、一般家庭などでは使用しない場合の収納場所に困ることが多いと共に、測定する場合にも狭隘な場所には置くことができないという問題点がある。また、体重計の上面に比較的広めの載置手段ないし載せ台を設ける関係上、製造コストが割高となり一般に普及する妨げとなっている。
【０００６】
本考案は上記した従来のベビースケールの問題点を解決し、通常は簡便に体重測定が可能であると共に、不使用時には乳児などを載せる籠を吊り下げる吊下杆及びフック部をスケール本体の外形に変化が生じない状態で簡単に収納できるようにした小型且つ薄型のウエイトスケールを提供することを目的とするものである。
【課題を解決するための手段】
【０００７】
上記課題を解決するための本考案の構成を詳述すれば、請求項１に係る考案は、計重手段及び当該計重手段によって計測された測定値を表示する表示手段とを有するウエイトスケールにおいて、前記計重手段及び表示手段を具備したスケール本体は何れか一方の端部を載台に対する当接部とすると共に、他方の端部を手持ち部又は他の載台に対する当接部となし、スケール本体内に付設した計重手段をなす板ばねの先端部に可変連結部材又は蝶番連結部材を介して吊下杆を垂下させ、当該吊下杆の先端に形成したフック部に籠を吊り下げて測定対象の重量を測定するようにしたことを特徴とするウエイトスケールである。
【０００８】
また、請求項２に係る考案は、計重手段及び当該計重手段によって計測された測定値を表示する表示手段とを有するウエイトスケールにおいて、前記計重手段及び表示手段を具備したスケール本体は何れか一方の端部を載台に対する当接部とすると共に、他方の端部を手持ち部又は他の載台に対する当接部となし、スケール本体内に付設した計重手段をなす板ばねの先端部に可変連結部材又は蝶番連結部材を介して吊下杆を垂下させ、当該吊下杆の先端に形成したフック部に籠を吊り下げて測定対象の重量を測定するようにすると共に、不使用時には前記吊下杆及びフック部をスケール本体の背面側に形成した収納凹陥部内に収納できるように構成したことを特徴とするウエイトスケールである。
【考案の効果】
【０００９】
本考案に係るウエイトスケールによれば、スケール本体を配置する適当な場所がない場合においても、机面などを利用して簡単且つ確実に乳児や小型ペットなどの体重を計測すること可能となる。
【００１０】
また、不使用時には、吊下杆およびフック部をスケール本体の背面側に設けてある収納凹陥部内に収納することができるので、従来のような広めの収納スペースを必要とせず、収納性および取扱性が大幅に改善される。
【００１１】
さらに、従来のベビースケールのような比較的広めの載せ台を体重計の上面に設ける必要がないので、その分製造コストを省くことができ、購入し易い価格となって一般に普及させることが可能となる。
【図面の簡単な説明】
【００１２】
【図１】本考案に係るウエイトスケールの一実施形態を示す平面図である。
【図２】図１に示すウエイトスケールの底面図である。
【図３】図２のＸ−Ｘ線に沿った断面図である。
【図４】吊下杆およびフック部を収納凹陥部内から外して鉛直状に垂下させた状態を示す断面図である。
【図５】吊下杆およびフック部を収納凹陥部内から外して鉛直状に垂下させた状態を示す斜視図である。
【図６】本考案に係るウエイトスケールの一使用例を示す説明図である。
【考案を実施するための形態】
【００１３】
以下、本考案に係るウエイトスケールの具体的構成を図示の実施形態に基づき詳細に説明する。
【００１４】
図中１は両端部に円形状の広面積部１Ａ及び１Ｂを形成してなる全体が比較的長尺状をなすスケール本体を示すものであり、当該スケール本体１は上部ケース２と、下部ケース３から構成されている。
【００１５】
なお、スケール本体１の両端部にある広面積部１Ａ及び１Ｂのうちのいずれか一方の裏面側が計測時に机などの載台に対する当接部となるものである。
【００１６】
上部ケース２はスケール本体１の上面を覆うカバー部となるものであり、構成素材としては耐荷重性及び耐衝撃性に優れ且つ強靭なＡＢＳ樹脂を始めとした高分子材料が好適に用いられる。
【００１７】
下部ケース３は吊り下げられる測定対象の安全を図ることと、後述するスケール本体１内に配設する計重手段などを保護するために、ずれ、ねじれ、圧縮などの外力に対し変形し難い剛性を有する鋼鉄やステンレス、あるいはアルミ合金などの金属材料が好適に用いられる。なお、下部ケース３の表面には合成樹脂製被膜などを形成して、金属材料が露出しないようになっているのは云うまでもない。
【００１８】
次に、図中４はスケール本体１の上部ケース２側の広面積部１Ａに配設した液晶表示器などからなる表示手段であり、当該表示手段４は本実施例の場合、０．００ｋｇ〜９．９９ｋｇまでの計測値を表示できるようになっている。
【００１９】
前記表示手段４の下側にはスイッチ５を配設してあり、当該スイッチ５はスケール本体１を作動状態にするとともに、測定対象物が無い場合に表示手段４の表示値を０．００ｋｇに設定するようになっている。
【００２０】
図中６は測定対象を吊り下げるためのフック部であり、当該フック部６は吊下杆７の下端部に設けられている。吊下杆７の上端部はチェーンのような可変連結部材又は蝶番連結部材８などを介してスケール本体１内に付設した計重手段をなす板ばね９の先端部に連繋されている（図３）。
【００２１】
従って、フック部６及び吊下杆７はスケール本体１内に水平状態に置かれる板ばね９に対し鉛直となるように垂下させることができるものである（図４）。
【００２２】
図中１０は前記下部ケース３に固定されたばね支持台であり、このばね支持台１０によって前記板ばね９の基端部が保持されている。板ばね９には計重手段を構成する歪みゲージ１１が貼付されており、歪みゲージ１１の出力信号は、特に図示していないが回路基板１２に電気的に送出されるようになっている。
【００２３】
回路基板１２はＩＣ回路１３と液晶素子などを用いた前記表示手段４とスイッチ５とを備え、前記歪みゲージ１１から出力される信号を処理して表示手段４に計測値を表示するものである。
【００２４】
なお、図中１４は前記回路基板１２の電源となるボタン型の電池であり、当該電池１４は電極１５，１５によって固定され、特に図示していないが回路基板１２に電気的に接続されている。
【００２５】
次に、図中１６は下部ケース３に凹設した前記吊下杆７及びフック部６を収納するための収納凹陥部であり、スケール本体１を使用しない時に可変連結部材又は蝶番連結部材８によって吊下杆７及びフック部６をスケール本体１と平行になるように回転させて当該収納凹陥部１６内に保持させるものである。
なお、保持状態を維持できるように収納凹陥部１６の内周面には吊下杆７及びフック部６を抑え付ける突部などを適宜設ける。
【００２６】
以下、図４ないし図６を用いて本考案ウエイトスケールの使用方法を説明すれば、先ず図４に示すように、フック部６及び吊下杆７を下部ケース３の収納凹陥部１６から取り出す。吊下杆７の上端部はチェーンのような可変連結部材又は蝶番連結部材８などを介して板ばね９の自由端に回転自在に連繋されているので、吊下杆７及びフック部６はスケール本体１と直角方向に取り出すことができる。
【００２７】
次いで、図５に示すように、スケール本体１を水平にしてフック部６を垂下させ、フック部６に例えば図示していないが、籠などを吊り下げ、スイッチ５を押す。すると表示手段４に０．００ｋｇと表示される。
【００２８】
その後、図６に示すように、乳児を籠１７の中に入れ、スケール本体１のいずれか一方の端部（広面積部１Ａ又は１Ｂ）を机などの載台１８の上面に当接させ、籠１７の底部が床面から少し浮く程度に、スケール本体１の他方の端部（広面積部１Ａ又は１Ｂ）を手で持ち上げる。この際誤差が生じないように、予め載台１８の高さを調整しておき、スケール本体１を水平状態に維持することで、乳児の体重が正確に測定される。
【００２９】
また、場合によっては、スケール本体１の一端部の広面積部１Ａを載台１８に当接させてから、他方の端部の広面積部１Ｂを他の図示しない適宜の載台に当接させて、体重測定を行うことも充分可能である。
【００３０】
本考案によれば、スケール本体１は薄型かつ小型に構成され、使用しない場合は測定対象を吊り下げる吊下杆７及びフック部６をスケール本体１の背面側に形成してある収納凹陥部１６内に収納して、突出部をなくすことができ、家具の間の僅かな隙間などに収納することができる。また、計測するときにも、従来のような広いスペースを用意する必要がなく、簡易且つ迅速に乳児や小型ペットの体重を計測することができるものである。
【００３１】
なお、本考案に係るウエイトスケールは乳児や小型ペットの体重測定以外にも、荷物などの重量を計測する簡易はかりとしても充分利用可能である。また、計量器として用いる場合には正確な測定のため、スケール本体１に水準器を付設することが望ましい。
【符号の説明】
【００３２】
１：スケール本体
１Ａ：広面積部
１Ｂ：広面積部
２：上部ケース
３：下部ケース
４：表示手段
５：スイッチ
６：フック部
７：吊下杆
８：可変連結部材又は蝶番連結部材
９：板ばね
１０：ばね支持台
１１：歪みゲージ
１２：回路基板
１３：ＩＣ回路
１４：電池
１５：電極
１６：収納凹陥部
１７：籠
１８：載台
【図１】
0003177085.tif 000003
【図２】
0003177085.tif 000004
【図３】
0003177085.tif 000005
【図４】
0003177085.tif 000006
【図５】
0003177085.tif 000007
【図６】
0003177085.tif 000008